【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
パネルモジュールであって、
第１のパネルを捕捉するように継合される第１の複数のフレーム部材を含む第１のフレームであって、前記第１の複数のフレーム部材は、
前記第１のパネルを前記第１のフレーム内に捕捉するように構成される第１のフレーム内側側面と、
前記第１の複数のフレーム部材のうちの少なくとも１つのもののフレーム部材第１端部とフレーム部材第２端部との間に軸方向に延在する第１のトラックを提供するように構成される第１のフレーム外側側面であって、前記第１のトラックは、前記第１のパネルにわたる移動のために適合されるパネル保守アセンブリの駆動要素に係合するように構成される、第１のフレーム外側側面と
を含む、第１のフレーム
を備える、パネルモジュール。
【請求項２】
前記パネル保守アセンブリの駆動要素は、前記第１のトラックに係合し、前記駆動要素は、前記パネル保守アセンブリを前記第１のパネルにわたって移動させるように動作可能である、請求項１に記載のパネルモジュール。
【請求項３】
前記駆動要素に結合される駆動部をさらに備え、前記駆動部は、前記トラックに係合された前記駆動要素を回転させ、前記パネル保守アセンブリを前記第１のパネルにわたって移動させるように動作可能である、請求項２に記載のパネルモジュール。
【請求項４】
前記パネル保守アセンブリに結合される第１のブレードをさらに備え、前記ブレードは、前記パネル保守アセンブリに延在し、前記第１のパネルに接触する、請求項３に記載のパネルモジュール。
【請求項５】
前記パネル保守アセンブリに結合される流体リザーバをさらに備え、前記流体リザーバは、前記パネル保守アセンブリ上に、ある流体量を前記第１のパネル上に送達するための場所を有する、流体出口に結合される、請求項１に記載のパネルモジュール。
【請求項６】
前記流体リザーバに結合される第１の流体ポンプをさらに備え、前記流体ポンプは、前記流体量を前記流体出口に送達するように動作可能である、請求項５に記載のパネルモジュール。
【請求項７】
前記パネル保守アセンブリに結合される流体回収要素をさらに備え、前記流体回収要素は、前記第１のパネル上に送達される前記流体量を回収するように構成される、請求項６に記載のパネルモジュール。
【請求項８】
第２の流体ポンプをさらに備え、前記第２の流体ポンプは、前記流体回収要素によって回収された前記流体量を前記流体リザーバに戻すように動作可能である、請求項７に記載のパネルモジュール。
【請求項９】
前記第２の流体ポンプに流体結合されるフィルタ要素をさらに備え、前記フィルタ要素は、前記流体回収要素によって回収された前記流体量を濾過する、請求項８に記載のパネルモジュール。
【請求項１０】
前記パネル保守アセンブリに結合される第２のブレードをさらに備え、前記第２のブレードは、前記パネル保守アセンブリから延在し、前記第１のブレードからある距離において前記第１のパネルに接触し、前記流体出口は、前記第１のブレードと第２のブレードとの間のブレード境界通路内で前記流体量を前記第１のパネル上に送達するために位置する、請求項４に記載のパネルモジュール。
【請求項１１】
前記パネル保守アセンブリに結合される第１のスイーパをさらに備え、前記第１のスイーパは、前記パネル保守アセンブリから延在し、前記第１のパネルに接触する、請求項４に記載のパネルモジュール。
【請求項１２】
前記ブレード境界通路の外側の第１のブレードおよび第２のブレードの側面に隣接して前記パネル保守アセンブリ上に配置される第１のスイーパおよび第２のスイーパをさらに備える、請求項１０に記載のパネルモジュール。
【請求項１３】
メモリ要素に結合されるプロセッサを含むコントローラをさらに備え、前記メモリ要素は、前記駆動部を制御し、感知される第１の端部限界および第２の端部限界間の前記パネルにわたる前記パネル保守アセンブリの移動を発生させるように実行可能なパネル保守プログラムを含有する、請求項１に記載のパネルモジュール。
【請求項１４】
前記パネル保守プログラムは、前記駆動部を制御し、経過時間量と経過時間閾値との比較に基づいて、前記パネルにわたる前記パネル保守アセンブリの移動を発生させるようにさらに実行可能である、請求項１３に記載のパネルモジュール。
【請求項１５】
前記パネル保守プログラムは、前記駆動部を制御し、光透過率値または光反射率値と事前に選択された光透過率閾値または光反射率閾値との比較に基づいて、前記パネルにわたる前記パネル保守アセンブリの移動を発生させるようにさらに実行可能であり、前記光透過率閾値または前記光反射率閾値を超えると、前記第１のパネルにわたる前記パネル保守アセンブリの移動を生じさせる、請求項１３に記載のパネルモジュール。
【請求項１６】
前記パネル保守プログラムは、前記第１の流体ポンプを動作させ、前記光透過率閾値または前記光反射率閾値を超える前記光透過率値または前記光反射率値の発生に応じて、前記流体量を前記流体出口を通して前記第１のパネル上に送達するようにさらに実行可能である、請求項１５に記載のパネルモジュール。
【請求項１７】
前記パネル保守プログラムは、前記流体リザーバ内に残っている流体量を周期的に判定するようにさらに実行可能である、請求項１３に記載のパネルモジュール。
【請求項１８】
前記パネル保守プログラムは、前記電源内に残っているエネルギー量を周期的に判定するようにさらに実行可能である、請求項１３に記載のパネルモジュール。
【請求項１９】
前記パネル保守アセンブリがドッキングするドッキングステーションをさらに備え、前記ドッキングステーションおよび前記パネル保守アセンブリは、対応して、流体供給コネクタの噛合可能部分を含み、前記流体供給コネクタは、対応するドッキングステーション入口ポートおよびドッキングステーション出口ポートとの噛合係合に応じて開放条件を達成する流体リザーバ入口ポートおよび流体リザーバ出口ポートを有する、請求項１に記載のパネルモジュール。
【請求項２０】
前記ドッキングステーションおよび前記パネル保守アセンブリは、対応して、電力供給源コネクタの噛合可能部分を含む、請求項１９に記載のパネルモジュール。
【請求項２１】
前記パネル保守プログラムは、エネルギーレベル閾値を超える電源内に残っているエネルギーレベルの発生に基づいて、または、流体レベル閾値を超える前記流体リザーバ内に残っている流体レベルの発生に基づいて、前記パネル保守アセンブリと前記ドッキングステーションとをドッキングするようにさらに実行可能である、請求項２０に記載のパネルモジュール。
【請求項２２】
第２のパネルを封入するように継合される第２の複数のフレーム部材を含む第２のフレームをさらに備え、前記第２の複数のフレーム部材は、
前記第２のパネルを前記第２のフレーム内に捕捉するように構成される第２のフレーム内側側面と、
前記第２の複数のフレーム部材のうちの少なくとも１つのものの第１の端部と第２の端部との間に軸方向に延在する第２のトラックを提供するように構成される第２のフレーム外側側面であって、前記第２のトラックは、前記第２のフレームの第２のフレーム内側側面によって捕捉された前記第２のパネルにわたって駆動される前記パネル保守アセンブリの移動モジュールの駆動要素に係合するように構成され、前記第１のフレームおよび前記第２のフレームは、軸方向に整合されかつ前記第１のフレームと前記第２のフレームとの間で断続する、前記第１のトラックおよび前記第２のトラックと離れた距離で配置される、第２のフレーム外側側面と
を含む、請求項１に記載のパネルモジュール。
【請求項２３】
前記駆動要素は、一対の駆動要素を備え、前記一対の駆動要素は、前記パネル保守アセンブリに結合され、離れた距離で前記第１のトラックに係合し、前記距離は、前記一対の駆動要素のうちの第１のものが、前記第１のパネルにわたって、前記一対の駆動要素のうちの第２のものが前記第２のトラックに係合する場所に前記パネル保守アセンブリを駆動することを可能にするために十分であり、前記一対の駆動要素のうちの第２のものは、前記第２のトラックと動作可能に係合され、前記パネル保守アセンブリを前記第１のフレームと第２のフレームとの間の距離にわたって移動させる、請求項２２に記載のパネルモジュール。
【請求項２４】
前記第１のトラックと前記第２のトラックとの間の距離に跨架するように配置されるトラックブリッジをさらに備え、前記トラックブリッジは、前記第１のトラックと前記第２のトラックとの間の前記駆動要素の駆動要素に係合するように構成される、請求項２３に記載のパネルモジュール。